(57)【要約】【課題】高温環境下での内容物の劣化を抑制できる収容容器を提供する。【解決手段】本発明によれば、内容器と、外容器とを備える収容容器であって、前記内容器は、前記外容器内に収容され、前記内容器は、外殻と内袋とを有し且つ内容物の減少に伴って前記内袋が収縮する積層剥離容器である、収容容器が提供される。【選択図】図１
2018154404.tif 000002
【特許請求の範囲】
【請求項１】
内容器と、外容器とを備える収容容器であって、
前記内容器は、前記外容器内に収容され、
前記内容器は、外殻と内袋とを有し且つ内容物の減少に伴って前記内袋が収縮する積層剥離容器であ
る、収容容器。
【請求項２】
前記内容器及び前記外容器は、それぞれ、胴部を備え、
前記内容器の胴部と前記外容器の胴部の間に胴部隙間が設けられている、請求項１に記載の収容容器。
【請求項３】
前記内容器の外殻の厚さをＴｓ、前記胴部隙間の厚さをＴｇとすると、
Ｔｇ／Ｔｓ≧０．３である、請求項２に記載の収容容器。
【請求項４】
Ｔｇ／Ｔｓ≧０．５である、請求項３に記載の収容容器。
【請求項５】
前記内容器は、胴部と、前記胴部から径方向外側に突出するフランジ部を備え、
前記フランジ部が前記外容器によって支持されている、請求項１〜請求項４の何れか１つに記載の収容容器。
【請求項６】
前記フランジ部は、前記胴部から径方向外側に環状に突出する環状部と、環状部から径方向外側に突出する突出部を備え、
前記突出部が前記外容器によって支持されている、請求項５に記載の収容容器。
【請求項７】
前記フランジ部は、中空である、請求項５又は請求項６に記載の収容容器。
【請求項８】
前記フランジ部と前記外容器の間に外気流通路が設けられている、請求項５〜請求項７の何れか１つに記載の収容容器。
【請求項９】
前記内容器及び前記外容器は、それぞれ、底部を備え、
前記内容器の底部と前記外容器の底部の間に底部隙間が設けられている、請求項１〜請求項８に記載の収容容器。
【請求項１０】
前記内容器は、前記外殻と前記内袋の間に外気を導入する外気導入孔が前記底部に設けられている、請求項９に記載の収容容器。
【請求項１１】
前記内袋は、前記底部側において外部に露出された内袋露出部を有し、
前記内袋露出部と前記外殻の間に前記外気導入孔が設けられている、請求項１０に記載の収容容器。
【請求項１２】
前記内容器内には前記内容物が充填されており、
前記内容物の充填後、ユーザーが前記内容物の吐出を開始する前の状態で前記内袋と前記外殻の間に隙間が設けられている、請求項１〜請求項１１の何れか１つに記載の収容容器。
【請求項１３】
前記外殻の容積をＶｓ、前記内袋に収容されている内容物の体積をＶｃとすると、
Ｖｃ／Ｖｓ≦０．９５である、請求項１２に記載の収容容器。
【請求項１４】
前記収容容器は、固定リングを備え、
前記内容器及び前記外容器は、前記固定リングに装着される、請求項１〜請求項１３に記載の収容容器。
【請求項１５】
前記収容容器は、前記内容物を吐出させるためのポンプを備え、
前記ポンプは、前記固定リングに装着される、請求項１４に記載の収容容器。
【発明の詳細な説明】
【技術分野】
【０００１】
本発明は、外容器内に配置された内容器内に内容物を収容可能な収容容器に関する。
【背景技術】
【０００２】
特許文献１には、外容器内に配置された内容器内に内容物を収容可能な収容容器が開示されている。
【先行技術文献】
【特許文献】
【０００３】
【特許文献１】特開２００３−２９２０７３号公報
【発明の概要】
【発明が解決しようとする課題】
【０００４】
特許文献１の内容器内には、高温環境下で劣化しやすい内容物（例：化粧品）が収容される場合があり、高温環境下での内容物の劣化を抑制できる収容容器が求められている。
【０００５】
本発明はこのような事情に鑑みてなされたものであり、高温環境下での内容物の劣化を抑制できる収容容器を提供するものである。
【課題を解決するための手段】
【０００６】
本発明によれば、内容器と、外容器とを備える収容容器であって、前記内容器は、前記外容器内に収容され、前記内容器は、外殻と内袋とを有し且つ内容物の減少に伴って前記内袋が収縮する積層剥離容器である、収容容器が提供される。
【０００７】
本発明の収容容器は、内容器が積層剥離容器であるので、内容物の減少に伴って内袋が収縮し、内袋と外殻の間に隙間が形成される。この隙間によって断熱性が向上するので、高温環境下での内容物の劣化が抑制される。
【０００８】
以下、本発明の種々の実施形態を例示する。以下に示す実施形態は互いに組み合わせ可能である。
好ましくは、前記内容器及び前記外容器は、それぞれ、胴部を備え、前記内容器の胴部と前記外容器の胴部の間に胴部隙間が設けられている。
好ましくは、前記内容器の外殻の厚さをＴｓ、前記胴部隙間の厚さをＴｇとすると、Ｔｇ／Ｔｓ≧０．３である。
好ましくは、Ｔｇ／Ｔｓ≧０．５である。
好ましくは、前記内容器は、胴部と、前記胴部から径方向外側に突出するフランジ部を備え、前記フランジ部が前記外容器によって支持されている。
好ましくは、前記フランジ部は、前記胴部から径方向外側に環状に突出する環状部と、環状部から径方向外側に突出する突出部を備え、前記突出部が前記外容器によって支持されている。
好ましくは、前記フランジ部は、中空である。
好ましくは、前記フランジ部と前記外容器の間に外気流通路が設けられている。
好ましくは、前記内容器及び前記外容器は、それぞれ、底部を備え、前記内容器の底部と前記外容器の底部の間に底部隙間が設けられている。
好ましくは、前記内容器は、前記外殻と前記内袋の間に外気を導入する外気導入孔が前記底部に設けられている。
好ましくは、前記内袋は、前記底部側において外部に露出された内袋露出部を有し、前記内袋露出部と前記外殻の間に前記外気導入孔が設けられている。
好ましくは、前記内容器内には前記内容物が充填されており、前記内容物の充填後、ユーザーが前記内容物の吐出を開始する前の状態で前記内袋と前記外殻の間に隙間が設けられている。
好ましくは、前記外殻の容積をＶｓ、前記内袋に収容されている内容物の体積をＶｃとすると、Ｖｃ／Ｖｓ≦０．９５である。
好ましくは、前記収容容器は、固定リングを備え、前記内容器及び前記外容器は、前記固定リングに装着される。
好ましくは、前記収容容器は、前記内容物を吐出させるためのポンプを備え、前記ポンプは、前記固定リングに装着される、
【図面の簡単な説明】
【０００９】
【図１】本発明の第１実施形態の収容容器１の断面斜視図である。
【図２】図１の収容容器１の断面図である。
【図３】図１からポンプ４を除いた状態の断面斜視図である。
【図４】図１中のポンプ４の斜視図である。
【図５】図１中の外容器２と固定リング５の斜視図である。
【図６】図３から固定リング５を除いた状態の断面斜視図である。
【図７】図１中内容器３の断面斜視図である。
【図８】図８Ａは、内容器３を底部３ｂ側から見た斜視図であり、図８Ｂは、底部３ｂ近傍の拡大斜視図である。
【図９】図１の収容容器１の内袋６と外殻７の間に隙間が設けられている状態を示す断面図である。
【図１０】本発明の第２実施形態の収容容器１の、図２に対応する断面図である。
【図１１】本発明の第３実施形態の収容容器１の、ポンプ４及び固定リング５の斜視図である。
【図１２】図１１からポンプ４を固定リング５から分離した状態の斜視図である。
【図１３】図１１中の固定リング５の下側から見た斜視図である。
【図１４】本発明の第４実施形態の収容容器１の、図２に対応する断面図である。
【図１５】図１４中の外容器２と固定リング５の斜視図である。
【図１６】図１４中の外容器２と内容器３の斜視図である。
【発明を実施するための形態】
【００１０】
以下、本発明の実施形態について説明する。以下に示す実施形態中で示した各種特徴事項は、互いに組み合わせ可能である。また、各特徴について独立して発明が成立する。
【００１１】
１．第１実施形態
図１〜図９に示すように、本発明の第１実施形態の収容容器１は、外容器２と、内容器３と、ポンプ４と、固定リング５を備える。
【００１２】
＜外容器２＞
外容器２は、有底筒状であり、胴部２ａと、底部２ｂを備える。胴部２ａの上端の外面側には胴部２ａの外面が縮径された縮径部２ｃが設けられている。縮径部２ｃには雄ねじ部２ｆが設けられている。胴部２ａの上端近傍の内面側には、内容器３のフランジ部３ｃを支持する支持部２ｄが設けられている。支持部２ｄは、胴部２ａの内径が上端近傍において拡径されることによって形成されている。つまり、支持部２ｄよりも上側は、支持部２ｄの下側よりも胴部２ａの内径が大きい拡径部２ｇとなっており、支持部２ｄに段差が形成されている。支持部２ｄ及び拡径部２ｇには、外気流通路２ｅが設けられており、内容器３を外容器２内に装着した状態でも外気流通路２ｅを通じた外気の流通が可能になっている。底部２ｂは平坦であり、外容器２は、自立可能になっている。外容器２の製法及び材質は、特に限定されないが、例えば射出成形によって形成された樹脂成形体であることが好ましい。
【００１３】
＜内容器３＞
内容器３は、外殻７と内袋６とを有し且つ内容物の減少に伴って内袋６が収縮する積層剥離容器である。内容物の減少に伴って内袋６が外殻７から離れることによって、内袋６が外殻７から離れて収縮する。
【００１４】
外殻７は、例えば、低密度ポリエチレン、直鎖状低密度ポリエチレン、高密度ポリエチレン、ポリプロピレン、エチレン−プロピレン共重合体及びその混合物などで構成される。
【００１５】
内袋６は、容器外面側に設けられたＥＶＯＨ層と、ＥＶＯＨ層の容器内面側に設けられた内面層と、ＥＶＯＨ層と内面層の間に設けられた接着層を備える。ＥＶＯＨ層を設けることでガスバリア性、及び外殻７からの剥離性を向上させることができる。接着層は省略してもよい。
【００１６】
ＥＶＯＨ層は、エチレン−ビニルアルコール共重合体（ＥＶＯＨ）樹脂からなる層であり、エチレンと酢酸ビニル共重合物の加水分解により得られる。ＥＶＯＨ樹脂のエチレン含有量は、例えば２５〜５０ｍｏｌ％であり、酸素バリア性の観点から３２ｍｏｌ％以下が好ましい。エチレン含有量の下限は、特に規定されないが、エチレン含有量が少ないほどＥＶＯＨ層の柔軟性が低下しやすいので２５ｍｏｌ％以上が好ましい。
【００１７】
内面層は、内容物に接触する層であり、例えば、低密度ポリエチレン、直鎖状低密度ポリエチレン、高密度ポリエチレン、ポリプロピレン、エチレン−プロピレン共重合体、シクロオレフィンポリマー、ＥＶＯＨ及びその混合物などからなり、ＥＶＯＨからなることが好ましい。内容物に接触する層をＥＶＯＨで形成することによってバリア性を向上させることができる。
【００１８】
接着層は、ＥＶＯＨ層と内面層とを接着する機能を有する層であり、例えば上述したポリオレフィンにカルボキシル基を導入した酸変性ポリオレフィン（例：無水マレイン酸変性ポリエチレン）を添加したものや、エチレン酢酸ビニル共重合体（ＥＶＡ）である。接着層の一例は、低密度ポリエチレン又は直鎖状低密度ポリエチレンと、酸変性ポリエチレンの混合物である。
【００１９】
内容器３は、有底筒状であり、胴部３ａと、底部３ｂと、フランジ部３ｃと、口部３ｄを備える。フランジ部３ｃは、胴部３ａの上端に設けられている。フランジ部３ｃは、胴部３ａから径方向外側に突出するように設けられている。フランジ部３ｃの外径は、拡径部２ｇとほぼ一致している。内容器３を外容器２内に挿入すると、フランジ部３ｃの下面が支持部２ｄに当接することによって内容器３が外容器２に対して上下方向に位置決めされる。つまり、フランジ部３ｃが外容器２によって支持されている。また、フランジ部３ｃの外周面が拡径部２ｇの内周面に当接することによって内容器３が外容器２に対して水平方向に位置決めされる。フランジ部３ｃが拡径部２ｇ及び支持部２ｄに密着すると、外容器２と内容器３の間の隙間に外気が導入されにくくなるが、本実施形態では、外気流通路２ｅを通じた外気の流通が可能になっている。フランジ部３ｃは中空であり、フランジ部３ｃ内にも内容物が収容可能になっている。
【００２０】
内容器３の胴部３ａと外容器２の胴部２ａの間には胴部隙間１０が設けられている。この隙間によって、断熱性が一層高められている。外殻７の厚さをＴｓ、胴部隙間１０の厚さをＴｇとすると、Ｔｇ／Ｔｓ≧０．３であることが好ましく、Ｔｇ／Ｔｓ≧０．５であることがさらに好ましい。この場合、外殻７を厚くすることなく、断熱性が特に高められる。Ｔｇ／Ｔｓは、例えば０．３〜１００であり、具体的には例えば、０．３、０．５、１、１．５、２、２．５、３、３．５、４、４．５、５、１０、２０、３０、４０、５０、６０、７０、８０、９０、１００であり、ここで例示した数値の何れか２つの間の範囲内であってもよい。内容器３の体積Ｖ１、外容器２の体積をＶ２とすると、Ｖ１／Ｖ２≦０．９９が好ましく、Ｖ１／Ｖ２≦０．９０がさらに好ましい。Ｖ１／Ｖ２は、例えば０．１〜０．９５であり、具体的には例えば、０．１、０．２、０．３、０．４、０．５、０．６、０．７、０．８、０．９、０．９５、０．９９であり、ここで例示した数値の何れか２つの間の範囲内であってもよい。
【００２１】
内容器３の底部３ｂと外容器２の底部２ｂの間には底部隙間１１が設けられている。内袋６は、底部３ｂ側において外部に露出された内袋露出部６ａを有する。本実施形態では、内袋露出部６ａは、底部３ｂから突出しているが突出する内袋露出部６ａは底部３ｂから突出していなくてもよい。内袋露出部６ａは、外殻７の挟持部７ａによって挟まれており、内袋露出部６ａと挟持部７ａの間には外気導入孔８が設けられている。内袋露出部６ａ及び挟持部７ａの先端と外容器２の底部２ｂの間にも隙間が設けられている。内容物の排出に伴って内袋６が収縮する際に外気導入孔８を通じて内袋６と外殻７の間に外気が導入される。これによって、内袋６のみが収縮され、外殻７は元の形状のまま維持されるので、内袋６と外殻７の間に隙間が形成される。この隙間によって収容容器の断熱性が高められて、内容物の劣化が抑制される。
【００２２】
内容器３は、一例では、筒状の積層パリソンをブロ−成形することによって形成することができる。内袋露出部６ａ及び挟持部７ａは、積層パリソンの下端を分割金型のピンチオフ部で挟んで潰すことによって形成することができる。内容器３の成形直後は内袋露出部６ａと挟持部７ａがくっついていて外気導入孔８が設けられていないが、内袋露出部６ａと挟持部７ａは剥離されやすいので、内袋露出部６ａと挟持部７ａが剥離されるように衝撃やねじり力などを加えることによって、内袋露出部６ａと挟持部７ａを剥離させてその間に外気導入孔８を形成することができる。
【００２３】
内容器３は、口部３ｄを有し、口部３ｄの外面には雄ねじ部３ｅが設けられている。
【００２４】
内容器３は、例えばシュリンクフィルムで覆うことによって加飾してもよい。外容器２を透明にすることによって内容器３の加飾を外部から視認することができる。
【００２５】
＜ポンプ４＞
ポンプ４は、内容器３内へ外気を導入させずに内容物を内容器３から排出させるように構成されている。ポンプ４は、本体部４ａと、ピストン部４ｂと、ノズル４ｃと、チューブ４ｄを備える。本体部４ａは、筒部４ａ１と、シリンダ部４ａ２と、上壁部４ａ３を備える。筒部４ａ１の内面には、雄ねじ部３ｅに螺合される雌ねじ部４ａ４が設けられている。シリンダ部４ａ２は、口部３ｄ内に挿入される。シリンダ部４ａ２の外径は、口部３ｄの内径とほぼ一致している。シリンダ部４ａ２は、筒状であり、ピストン部４ｂがシリンダ部４ａ２内で摺動可能になっている。シリンダ部４ａ２の内部空間は、ノズル４ｃ及びチューブ４ｄに連通されている。シリンダ部４ａ２の内部空間には、弾性部材と弁で構成されるポンプ機構が内蔵されている。ピストン部４ｂを摺動させてポンプ機構を作動させることによって、チューブ４ｄを通じて吸い上げた内容物をノズル４ｃから排出することが可能になっている。
【００２６】
＜固定リング５＞
固定リング５は、外筒部５ａと、上壁部５ｂと、内筒部５ｄを備える。外筒部５ａと内筒部５ｄは、上壁部５ｂで連結されている。外筒部５ａの内面には、雄ねじ部２ｆと螺合可能な雌ねじ部５ｆが設けられている。上壁部５ｂには、開口部５ｃが設けられている。開口部５ｃの内径は、シリンダ部４ａ２の外径よりも大きい。このため、図１に示すように、ポンプ４を口部３ｄに装着し、固定リング５を外容器２に装着した状態で、ポンプ４の筒部４ａ１の外面と開口部５ｃの内面の間に隙間ができて通気が可能になっている。また、内容器３を外容器２内に挿入した状態で固定リング５を外容器２に装着すると、内筒部５ｄの先端が内容器３の上面３ｆに当接することによって内容器３が上下方向に完全に固定される。なお、内容器３のフランジ部３ｃにおいて、内容器３が外容器２に凹凸嵌合しているので、固定リング５を設けなくても、内容器３を外容器２に対して固定させることができる。内筒部５ｄが上面３ｆに密着すると、外容器２と内容器３の間の隙間に外気が導入されにくくなるが、本実施形態では、内筒部５ｄに外気流通路５ｅが設けられており、外気流通路５ｅを通じた外気の流通が可能になっている。
【００２７】
本実施形態の構成では、開口部５ｃ、外気流通路５ｅ，２ｅ、胴部隙間１０、底部隙間１１、及び外気導入孔８を通じて、内袋６と外殻７の間の隙間に外気が導入される。このため、収容容器１が急に高温環境下に曝された場合にも、高温の外気が内袋６に接触しにくくなっている。
【００２８】
＜製造及び使用方法＞
本実施形態の収容容器１は、内容器３内に内容物を充填した後に、ポンプ４を口部３ｄに装着したものを外容器２内に挿入し、その状態で固定リング５を外容器２に装着することによって製造することができる。
【００２９】
内容物は、図２に示すように、内袋６と外殻７の間に隙間がないように満充填させてもよいが、図９に示すように、内袋６と外殻７の間に隙間が設けられているように充填（つまり、部分充填）させてもよい。この場合、内容物の充填後、ユーザーが内容物の吐出を開始する前の状態でも内袋６と外殻７の間に隙間があるので、断熱性が一層向上する。外殻７の容積をＶｓ、内袋６に収容されている内容物の体積をＶｃとすると、Ｖｃ／Ｖｓ≦０．９５であることが好ましく、Ｖｃ／Ｖｓ≦０．９であることがさらに好ましい。Ｖｃ／Ｖｓは、例えば０．５〜０．９５であり、具体的には例えば、０．５、０．５５、０．６、０．６５、０．７、０．７５、０．８、０．８５、０．９、０．９５であり、ここで例示した数値の何れか２つの間の範囲内であってもよい。
【００３０】
内容物を部分充填する方法としては、例えば、口部３ｄから内袋６内の空気を吸い出すことによって、内袋６を外殻７から剥離させると共に内袋６を収縮させ、その後に、内容物を部分充填する方法が挙げられる。このような方法によれば、内袋６と外殻７の間に隙間を設けつつ、内袋６内に空気が残らないように内袋６を部分充填させることができる。
【００３１】
２．第２実施形態
図１０を用いて、本発明の第２実施形態について説明する。本実施形態は、基本構成及び機能は第１実施形態と同じであり、各部材の形状が第１実施形態とは異なっている点が主な相違点である。以下、相違点を中心に説明する。
【００３２】
本実施形態では、内容器３の外径が第１実施形態よりも小さく、外容器２が底部２ｂ近傍において大きく膨らんでいる。その結果、胴部隙間１０が非常に大きくなり、断熱性が高められている。また、本実施形態においても、底部３ｂに設けられた外気導入孔８から内袋６と外殻７の間に外気が導入されるが、本実施形態では、内容器３の底部３ｂにおいて内袋６及び外殻７が突出していない点が第１実施形態とは相違している。このため、底部２ｂと底部３ｂの間において外気の流れがスムーズになっている。
【００３３】
３．第３実施形態
図１１〜図１３を用いて、本発明の第３実施形態について説明する。本実施形態は、基本構成及び機能は第１実施形態と同じであり、外容器２及び内容器３が固定リング５に装着され、ポンプ４も固定リング５に装着されている点が主な相違点である。以下、相違点を中心に説明する。
【００３４】
本実施形態では、固定リング５は、第１実施形態の構成に加えて、外気導入孔５ｈと、突出部５ｉと、凹部５ｊと、雌ねじ部５ｌを有する筒部５ｋを備える。ポンプ４は、筒部４ａ１を有さず、フランジ部４ａ５を有する。フランジ部４ａ５は、筒部４ａ１から径方向外側に突出する。
【００３５】
外気導入孔５ｈは、上壁部５ｂに形成されている。突出部５ｉは、上壁部５ｂの中央に形成されている。突出部５ｉは省略可能である。凹部５ｊは、突出部５ｉに形成されている。開口部５ｃは、シリンダ部４ａ２を挿通可能で、かつフランジ部４ａ５を挿通不能なサイズになっている。凹部５ｊは、フランジ部４ａ５と係合可能に構成されている。雌ねじ部５ｌを有する筒部５ｋは、第１実施形態の雌ねじ部４ａ４を有する筒部４ａ１と同様に構成されている。
【００３６】
このような構成によれば、内容器３と外容器２の両方を固定リング５に装着（ネジ止め）することができる。ポンプ４も固定リング５に装着される。ポンプ４は、固定リング５と分離可能であってもよく、固定リング５と一体に形成されていてもよい。
【００３７】
第１実施形態では、ポンプ４と固定リング５の間に隙間から外気が外容器２内に導入されることが想定されていたが、本実施形態では、ピンホール状の外気導入孔５ｈから外容器２内に外気が導入される。外気導入孔５ｈは別の位置に設けてもよい。
【００３８】
４．第４実施形態
図１４〜図１６を用いて、本発明の第４実施形態について説明する。本実施形態は、基本構成及び機能は第１実施形態と同じであり、外容器２、内容器３、及び固定リング５の形状の違いが主な相違点である。以下、相違点を中心に説明する。
【００３９】
本実施形態では、フランジ部３ｃは、環状部３ｃ１と、突出部３ｃ２を備える。突出部３ｃ２は、環状部３ｃ１から径方向外側に突出する。突出部３ｃ２は、周方向に間隔を空けて複数（本実施形態では２つ）設けられている。外容器２の上端には、切欠部２ｈが設けられている。切欠部２ｈは、突出部３ｃ２と相補形状になっている。内容器３を外容器２内に収容し、突出部３ｃ２を切欠部２ｈに係合させると、内容器３が外容器２に対して周方向に位置決めされる。この際、環状部３ｃ１は外容器２によって支持されていない。
【００４０】
外容器２の縮径部２ｃには環状凹部２ｉが設けられている。固定リング５の内周面には、環状凸部５ｇが設けられている。縮径部２ｃを固定リング５に挿入すると、環状凹部２ｉと環状凸部５ｇが係合して、固定リング５が外容器２に対して固定される。
【符号の説明】
【００４１】
１      ：収容容器
２      ：外容器
２ａ    ：胴部
２ｂ    ：底部
２ｃ    ：縮径部
２ｄ    ：支持部
２ｅ    ：外気流通路
２ｆ    ：雄ねじ部
２ｇ    ：拡径部
２ｈ    ：切欠部
２ｉ    ：環状凹部
３      ：内容器
３ａ    ：胴部
３ｂ    ：底部
３ｃ    ：フランジ部
３ｃ１  ：環状部
３ｃ２  ：突出部
３ｄ    ：口部
３ｅ    ：雄ねじ部
３ｆ    ：上面
４      ：ポンプ
４ａ    ：本体部
４ａ１  ：筒部
４ａ２  ：シリンダ部
４ａ３  ：上壁部
４ａ４  ：雌ねじ部
４ａ５  ：フランジ部
４ｂ    ：ピストン部
４ｃ    ：ノズル
４ｄ    ：チューブ
５      ：固定リング
５ａ    ：外筒部
５ｂ    ：上壁部
５ｃ    ：開口部
５ｄ    ：内筒部
５ｅ    ：外気流通路
５ｆ    ：雌ねじ部
５ｇ    ：環状凸部
５ｈ    ：外気導入孔
５ｉ    ：突出部
５ｊ    ：凹部
５ｋ    ：筒部
５ｌ    ：雌ねじ部
６      ：内袋
６ａ    ：内袋露出部
７      ：外殻
７ａ    ：挟持部
８      ：外気導入孔
１０    ：胴部隙間
１１    ：底部隙間
Ｖ１    ：体積
【図１】
2018154404.tif 000003
【図２】
2018154404.tif 000004
【図３】
2018154404.tif 000005
【図４】
2018154404.tif 000006
【図５】
2018154404.tif 000007
【図６】
2018154404.tif 000008
【図７】
2018154404.tif 000009
【図８】
2018154404.tif 000010
【図９】
2018154404.tif 000011
【図１０】
2018154404.tif 000012
【図１１】
2018154404.tif 000013
【図１２】
2018154404.tif 000014
【図１３】
2018154404.tif 000015
【図１４】
2018154404.tif 000016
【図１５】
2018154404.tif 000017
【図１６】
2018154404.tif 000018